(57)【要約】【課題】使用者のニーズに応じて自由に組み合わせて配列を変え、運動器材の機能を得ることが可能な訓練用運動器材構造を提供する。【解決手段】訓練用運動器材構造は、複数のフレーム１及び複数の第１の枢着部材２を備える。フレーム１は、２つの枢着端１１を有する。第１の枢着部材２は、各フレーム１の各枢着端１１が回動可能に連結される２つの組立領域２１を有し、各フレーム１と各第１の枢着部材２とを組み合わせて両側に対応した多角形の外郭が形成される。各フレーム１と各第１の枢着部材２とを組み合わせると多角形状に形成される。各フレーム１の各枢着端１１には、各第１の枢着部材２の各組立領域２１が回動可能に連結され、各フレーム１の間は各第１の枢着部材２を軸心として回動可能に連結され、各フレーム１と各第１の枢着部材２とを組み合わせて形成した多角形は、内側に折り曲げることができる。【選択図】図８
0003215928.tif 000002
【実用新案登録請求の範囲】
【請求項１】
複数のフレーム及び複数の第１の枢着部材を備えた訓練用運動器材構造であって、
前記フレームは、２つの枢着端を有し、
前記第１の枢着部材は、各前記フレームの各前記枢着端が回動可能に連結される２つの組立領域を有し、各前記フレームと各前記第１の枢着部材とを組み合わせて両側に対応した多角形の外郭が形成され、
各前記フレームと各前記第１の枢着部材とを組み合わせると多角形状に形成され、
各前記フレームの各前記枢着端には、各前記第１の枢着部材の各前記組立領域が回動可能に連結され、各前記フレームの間は各前記第１の枢着部材を軸心として回動可能に連結され、各前記フレームと各前記第１の枢着部材とを組み合わせて形成した多角形は、内側に折り曲げ得ることを特徴とする訓練用運動器材構造。
【請求項２】
各前記フレームは、少なくとも１つの組立領域を有することを特徴とする請求項１に記載の訓練用運動器材構造。
【請求項３】
各前記フレームには、少なくとも１つの第２の枢着部材が配設され、
前記第２の枢着部材は、各前記フレームの各前記組立領域が回動可能に連結される２つの組立領域を有することを特徴とする請求項２に記載の訓練用運動器材構造。
【請求項４】
各前記フレームと各前記第１の枢着部材とで構成された各多角形の間は、第２の枢着部材によりそれぞれ接続されることを特徴とする請求項１に記載の訓練用運動器材構造。
【請求項５】
各前記フレームと各前記第１の枢着部材とで構成された各多角形の間は、前記第２の枢着部材により回動可能に連結され、各前記フレームと各前記第１の枢着部材とで構成された各多角形の間は内側に折り曲げ得ることを特徴とする請求項４に記載の訓練用運動器材構造。
【請求項６】
各前記第２の枢着部材は、弾性材料により一体成形されることを特徴とする請求項５に記載の訓練用運動器材構造。
【請求項７】
各前記フレームは、弾性材料により一体成形されることを特徴とする請求項１に記載の訓練用運動器材構造。
【請求項８】
各前記第１の枢着部材は、弾性材料により一体成形されることを特徴とする請求項１に記載の訓練用運動器材構造。
【請求項９】
各前記第１の枢着部材は、各前記フレームの各前記組立領域に回動可能に連結されることを特徴とする請求項８に記載の訓練用運動器材構造。
【請求項１０】
各前記フレームの各前記枢着端を回動可能に連結する２つの組立領域を有し、各前記フレームと組み合わせて格子状に形成する少なくとも１つの第３の枢着部材をさらに備えることを特徴とする請求項１に記載の訓練用運動器材構造。 
【考案の詳細な説明】
【技術分野】
【０００１】
本考案は、訓練用運動器材構造に関するものであり、さらに詳しくは、複数のフレーム及び複数の異なる形態の枢着部材を有し、使用者のニーズに応じて自由に組み合わせて配列を変え、多変化の構成方式に多くの機能性を得て、使用者自ら配列固定して組み合わせることにより、運動器材の機能を得る訓練用運動器材構造に関するものである。
【背景技術】
【０００２】
スポーツの世界では、トレーニングを行う者のステップの敏捷性を高めるために、地面上に所定の配列方式で設置した複数のＳＡＱ（Ｓｐｅｅｄ  Ａｇｉｌｉｔｙ  Ｑｕｉｃｋｎｅｓｓ）の運動器材を利用することが一般的である。トレーニングを行う者は、トレーニング領域に設置した各ラダーを利用し、各ラダーにより画成された地面を所定の順序で両足でステップ動作を行い、ステップの敏捷性を高めることができる。従来のＳＡＱの運動器材は、ラダー型、リング型、多角形型に大別される。ラダー型は、２本の長ロープ間に取り付けられた複数個の分離部材により複数の領域が画定され、ラダー間の領域を利用してステップの敏捷性を訓練し、収納する際はラダーを巻き取って円柱状にすることができる。リング型及び多角形型は、各リング型又は多角形型の間に組立部材が増設され、各リング型又は多角形型を訓練に必要な領域に設置し、画成された領域でステップ動作を行って敏捷性を鍛えていた。リング型又は多角形型を収納するときは、互いに積層させて組立部材により固定させていた。
【０００３】
上述したことから分かるように、市販されている製品の大部分は、運動器材を所定の配列方式により地面上に設置して使用していた。そのため、トレーニングを行う者が使用する際、ＳＡＱの運動器材に身体の一部が当たってＳＡＱの運動器材の配列距離が変わり易く、複数回使用した後に、ＳＡＱの運動器材を設置しなおす必要があり、また、ラダー型、リング型又は多角形型のＳＡＱの運動器材は、収納するときにスペースが大きすぎる上、他の使用機能が無いという欠点があり、改良が求められていた。
【考案の概要】
【考案が解決しようとする課題】
【０００４】
従って、本考案の主な課題は、使用者の必要に応じて自由に組み合わせて配列を変え、多変化の構成方式に多くの機能を得て、使用者自ら配列固定して組み合わせて運動器材の機能を得ることが可能な訓練用運動器材構造を提供することにある。
【課題を解決するための手段】
【０００５】
そこで、本考案者は、本考案の前記課題を解決するための鋭意検討を重ねた結果、複数のフレーム及び多種の方式の枢着部材を介することにより、前記課題を解決できる点に着目し、かかる知見に基いて本考案に想到するに至った。
かくして、本考案の要旨は、次の（１）〜（１０）に記載の通りのものである。
（１）複数のフレーム及び複数の第１の枢着部材を備えた訓練用運動器材構造であって、
前記フレームは、２つの枢着端を有し、
前記第１の枢着部材は、各前記フレームの各前記枢着端が回動可能に連結される２つの組立領域を有し、各前記フレームと各前記第１の枢着部材とを組み合わせて両側に対応した多角形の外郭が形成され、
各前記フレームと各前記第１の枢着部材とを組み合わせると多角形状に形成され、
各前記フレームの各前記枢着端には、各前記第１の枢着部材の各前記組立領域が回動可能に連結され、各前記フレームの間は各前記第１の枢着部材を軸心として回動可能に連結され、各前記フレームと各前記第１の枢着部材とを組み合わせて形成した多角形は、内側に折り曲げ得ることを特徴とする訓練用運動器材構造。
（２）各前記フレームは、少なくとも１つの組立領域を有することを特徴とする前記（１）に記載の訓練用運動器材構造。
（３）各前記フレームには、少なくとも１つの第２の枢着部材が配設され、
前記第２の枢着部材は、各前記フレームの各前記組立領域が回動可能に連結される２つの組立領域を有することを特徴とする前記（２）に記載の訓練用運動器材構造。
（４）各前記フレームと各前記第１の枢着部材とで構成された各多角形の間は、第２の枢着部材によりそれぞれ接続されることを特徴とする前記（１）に記載の訓練用運動器材構造。
（５）各前記フレームと各前記第１の枢着部材とで構成された各多角形の間は、前記第２の枢着部材により回動可能に連結され、各前記フレームと各前記第１の枢着部材とで構成された各多角形の間は内側に折り曲げ得ることを特徴とする前記（４）に記載の訓練用運動器材構造。
（６）各前記第２の枢着部材は、弾性材料により一体成形されることを特徴とする前記（５）に記載の訓練用運動器材構造。
（７）各前記フレームは、弾性材料により一体成形されることを特徴とする前記（１）に記載の訓練用運動器材構造。
（８）各前記第１の枢着部材は、弾性材料により一体成形されることを特徴とする前記（１）に記載の訓練用運動器材構造。
（９）各前記第１の枢着部材は、各前記フレームの各前記組立領域に回動可能に連結されることを特徴とする前記（８）に記載の訓練用運動器材構造。
（１０）各前記フレームの各前記枢着端を回動可能に連結する２つの組立領域を有し、各前記フレームと組み合わせて格子状に形成する少なくとも１つの第３の枢着部材をさらに備えることを特徴とする前記（１）に記載の訓練用運動器材構造。
【考案の効果】
【０００６】
本考案は前記の通りの構成からなるものであり、複数のフレーム及び複数の多種の方式の枢着部材を介して、場所又は目的に応じて組み合わせたり、使用者の必要に応じて組み合わせることにより配列し、地面上に平らに設置し、又は地面上に立設し、格子状、積層ブロック状など様々な形状に形成することができ、使用者の必要に応じて自由に組み合わせて配列を変え、多変化の構成方式に多くの機能を得て、使用者自ら配列固定して組み合わせることができる機能を得ることができる。
【図面の簡単な説明】
【０００７】
【図１】図１は、本考案の一実施形態に係る訓練用運動器材構造のフレームを示す斜視図である。
【図２】図２は、本考案の一実施形態に係る訓練用運動器材構造の第１の枢着部材を示す斜視図である。
【図３】図３は、本考案の一実施形態に係る訓練用運動器材構造の第１の枢着部材を示す側面図である。
【図４】図４は、本考案の一実施形態に係る訓練用運動器材構造のフレームと第１の枢着部材とを組み合わせた状態を示す組立図である。
【図５】図５は、本考案の一実施形態に係る訓練用運動器材構造の第２の枢着部材を示す斜視図である。
【図６】図６は、本考案の一実施形態に係る訓練用運動器材構造の第２の枢着部材を示す側面図である。
【図７】図７は、本考案の好適な実施形態を示す訓練用運動器材構造の図（１）である。
【図８】図８は、本考案の好適な実施形態を示す訓練用運動器材構造の図（２）である。
【図９】図９は、本考案の一実施形態に係る訓練用運動器材構造の第３の枢着部材を示す斜視図である。
【図１０】図１０は、本考案の一実施形態に係る訓練用運動器材構造の第３の枢着部材を示す側面図である。
【図１１】図１１は、本考案の好適な実施形態を示す訓練用運動器材構造の図（３）である。
【考案を実施するための形態】
【０００８】
まず、図１〜図１１を参照する。図１〜図１１に示すように、本考案の一実施形態に係る訓練用運動器材構造は、少なくとも複数のフレーム１、複数の第１の枢着部材２、第２の枢着部材３及び第３の枢着部材４から構成されてなる。
【０００９】
各フレーム１は、２つの枢着端１１を有する。
【００１０】
複数の第１の枢着部材２は、各フレーム１の各枢着端１１が回動可能に連結される２つの組立領域２１を有し、各フレーム１と各第１の枢着部材２とを組み合わせて両側に対応した多角形の外郭が形成されている。各フレーム１と各第１の枢着部材２とを組み合わせると多角形状に形成される。各フレーム１の各枢着端１１には、各第１の枢着部材２の各組立領域２１が回動可能に連結され、各フレーム１の間は各第１の枢着部材２を軸心として回動可能に連結され、各フレーム１と各第１の枢着部材２とを組み合わせて形成した多角形は、内側に折り曲げ得る。
【００１１】
上述した構造について以下、詳細に説明する。
【００１２】
前述した各フレーム１は、少なくとも１つの組立領域１２を有する。
【００１３】
各フレーム１には、少なくとも１つの第２の枢着部材３が配設される。第２の枢着部材３は、各フレーム１の各組立領域１２が回動可能に連結される２つの組立領域３１を有する。
【００１４】
各フレーム１と各第１の枢着部材２とで構成された各多角形の間は、第２の枢着部材３によりそれぞれ接続される。
【００１５】
各フレーム１と各第１の枢着部材２とで構成された多角形の間は、第２の枢着部材３により回動可能に連結され、各フレーム１と各第１の枢着部材２とで構成された各多角形の間は内側に折り曲げ得る。
【００１６】
各第２の枢着部材３は、弾性材料により一体成形される。
【００１７】
前述した各フレーム１は、弾性材料により一体成形される。
【００１８】
前述した各第１の枢着部材２は、弾性材料により一体成形される。
【００１９】
或いは各第１の枢着部材２は、各フレーム１の各組立領域１２に回動可能に連結され、各組立領域１２は、各第１の枢着部材２の各組立領域２１に回動可能に連結されてもよい。
【００２０】
少なくとも１つの第３の枢着部材４は、各フレーム１の各枢着端１１を回動可能に連結する２つの組立領域４１を有し、各フレーム１と各第３の枢着部材４とを組み合わせて格子状に形成してもよい。
【００２１】
各フレーム１、各第１の枢着部材２及び各第２の枢着部材３を組み合わせると、折り畳み可能な複数の多角形状に形成される。折り畳んで収納する際、複数の第２の枢着部材３を組み合わせると、全体的に固定されて下向きのコ字状に形成され、収納する際に設置空間を節約することができる上、使用者が座ったり、上端に平面板を増設して座卓として使用したりすることができるため、本考案は多くの機能を有する。
【００２２】
本考案の一実施形態に係る訓練用運動器材構造は、各フレーム１、各第１の枢着部材２、各第２の枢着部材３及び各第３の枢着部材４の組み合わせには以下のような様々な実施形態がある。
【００２３】
（実施形態１）
各フレーム１の枢着端１１を並べて配列した後、各第１の枢着部材２の組立領域２１を各フレーム１の枢着端１１に回動可能に取付け、各フレーム１の枢着端１１は、各第１の枢着部材２を介して回動可能に連結され、各フレーム１と各第１の枢着部材２とを組み合わせると多角形のフレーム構造が形成される（図４を参照する）。
【００２４】
（実施形態２）
各フレーム１と各第１の枢着部材２とを組み合わせて多角形状に形成した後、各フレーム１の組立領域１２を各第２の枢着部材３の組立領域３１と組み合わせ、各フレーム１と各第１の枢着部材２とを組み合わせて形成した多角形の間が各第２の枢着部材３を介して回動可能に連結され、使用者は場所及びトレーニングの必要に応じて必要な形態に配列して組み合わせることができる（図７を参照する）。
【００２５】
（実施形態３）
各フレーム１を積層して配列した後、各第１の枢着部材２の組立領域２１を各フレーム１の枢着端１１に回動可能に取付け、各第２の枢着部材３の組立領域３１を各フレーム１の組立領域１２に回動可能に取付け、各フレーム１を積層して固定することができるため、収納し易い上、座卓、踏台などとして使用することもできる（図８を参照する）。
【００２６】
（実施形態４）
各フレーム１の上端を揃えて配列した後、各第２の枢着部材３の組立領域３１を各フレーム１の上端に設けられた組立領域１２に回動可能に取付けるとともに、各第３の枢着部材４の組立領域４１が各フレーム１の枢着端１１に回動可能に取付けられ、各フレーム１、各第２の枢着部材３及び各第３の枢着部材４が格子状に形成される（図１１を参照する）。
【００２７】
本考案の一実施形態に係る訓練用運動器材構造は、少なくともフレーム１、第１の枢着部材２、各第２の枢着部材３及び各第３の枢着部材４から構成されてなる。各フレーム１は、２つの枢着端１１及び各組立領域１２を有する。各第１の枢着部材２は、各フレーム１と組み合わせ、両側に対応する多角形の外郭が形成される。その特徴は、各フレーム１の各枢着端１１と各第１の枢着部材２の各組立領域２１とが回動可能に連結され、各フレーム１と各第１の枢着部材２とを組み合わせた多角形が内側に折り曲げ得る。各フレーム１と各第１の枢着部材２とにより構成された多角形の間が各第２の枢着部材３を介して回動可能に連結され、各フレーム１と各第１の枢着部材２とを組み合わせた各多角形の間が内側に折り曲げ得る。第３の枢着部材４は、各フレーム１の各枢着端１１を回動可能に連結するために用いられ、各フレーム１と各第３の枢着部材４とを組み合わせて格子状に形成することができる。複数のフレーム１及び複数の様々な方式の枢着部材を介し、場所又は目的に応じて組み合わせたり、使用者の必要に応じて組み合わせることにより配列し、地面上に平らに設置し、又は地面上に立設し、格子状、積層ブロック状など様々な形状に形成してもよい。使用者の必要に応じて自由に組み合わせて配列を変え、多変化の構成方式に多くの機能を得て、使用者自ら配列固定して組み合わせることができる機能を得る。
【符号の説明】
【００２８】
１  フレーム
２  第１の枢着部材
３  第２の枢着部材
４  第３の枢着部材
１１  枢着端
１２  組立領域
２１  組立領域
３１  組立領域
４１  組立領域
【図１】
0003215928.tif 000003
【図２】
0003215928.tif 000004
【図３】
0003215928.tif 000005
【図４】
0003215928.tif 000006
【図５】
0003215928.tif 000007
【図６】
0003215928.tif 000008
【図７】
0003215928.tif 000009
【図８】
0003215928.tif 000010
【図９】
0003215928.tif 000011
【図１０】
0003215928.tif 000012
【図１１】
0003215928.tif 000013
【手続補正書】
【提出日】平成30年2月26日(2018.2.26)
【手続補正１】
【補正対象書類名】実用新案登録請求の範囲
【補正対象項目名】全文
【補正方法】変更
【補正の内容】
【実用新案登録請求の範囲】
【請求項１】
複数のフレーム及び複数の第１の枢着部材を備えた訓練用運動器材構造であって、
前記フレームは、２つの枢着端を有し、
前記第１の枢着部材は、各前記フレームの各前記枢着端が回動可能に連結される２つの組立領域を有し、各前記フレームと各前記第１の枢着部材とを組み合わせて両側に対応した多角形の外郭が形成され、
各前記フレームと各前記第１の枢着部材とを組み合わせると多角形状に形成され、
各前記フレームの各前記枢着端には、各前記第１の枢着部材の各前記組立領域が回動可能に連結され、各前記フレームの間は各前記第１の枢着部材を軸心として回動可能に連結され、各前記フレームと各前記第１の枢着部材とを組み合わせて形成した多角形は、内側に折り曲げ得ることを特徴とする訓練用運動器材構造。
【請求項２】
各前記フレームは、少なくとも１つの組立領域を有することを特徴とする請求項１に記載の訓練用運動器材構造。
【請求項３】
各前記フレームには、少なくとも１つの第２の枢着部材が配設され、
前記第２の枢着部材は、各前記フレームの各前記組立領域が回動可能に連結される２つの組立領域を有することを特徴とする請求項２に記載の訓練用運動器材構造。
【請求項４】
各前記フレームと各前記第１の枢着部材とで構成された各多角形の間は、第２の枢着部材によりそれぞれ接続されることを特徴とする請求項１に記載の訓練用運動器材構造。
【請求項５】
各前記フレームと各前記第１の枢着部材とで構成された各多角形の間は、前記第２の枢着部材により回動可能に連結され、各前記フレームと各前記第１の枢着部材とで構成された各多角形の間は内側に折り曲げ得ることを特徴とする請求項４に記載の訓練用運動器材構造。
【請求項６】
各前記第２の枢着部材は、弾性材料により一体成形されることを特徴とする請求項５に記載の訓練用運動器材構造。
【請求項７】
各前記フレームは、弾性材料により一体成形されることを特徴とする請求項１に記載の訓練用運動器材構造。
【請求項８】
各前記第１の枢着部材は、弾性材料により一体成形されることを特徴とする請求項１に記載の訓練用運動器材構造。
【請求項９】
各前記第１の枢着部材は、各前記フレームの各前記組立領域に回動可能に連結されることを特徴とする請求項２に記載の訓練用運動器材構造。
【請求項１０】
各前記フレームの各前記枢着端を回動可能に連結する２つの組立領域を有し、各前記フレームと組み合わせて格子状に形成する少なくとも１つの第３の枢着部材をさらに備えることを特徴とする請求項１に記載の訓練用運動器材構造。
【手続補正２】
【補正対象書類名】明細書
【補正対象項目名】０００５
【補正方法】変更
【補正の内容】
【０００５】
そこで、本考案者は、本考案の前記課題を解決するための鋭意検討を重ねた結果、複数のフレーム及び多種の方式の枢着部材を介することにより、前記課題を解決できる点に着目し、かかる知見に基いて本考案に想到するに至った。
かくして、本考案の要旨は、次の（１）〜（１０）に記載の通りのものである。
（１）複数のフレーム及び複数の第１の枢着部材を備えた訓練用運動器材構造であって、
前記フレームは、２つの枢着端を有し、
前記第１の枢着部材は、各前記フレームの各前記枢着端が回動可能に連結される２つの組立領域を有し、各前記フレームと各前記第１の枢着部材とを組み合わせて両側に対応した多角形の外郭が形成され、
各前記フレームと各前記第１の枢着部材とを組み合わせると多角形状に形成され、
各前記フレームの各前記枢着端には、各前記第１の枢着部材の各前記組立領域が回動可能に連結され、各前記フレームの間は各前記第１の枢着部材を軸心として回動可能に連結され、各前記フレームと各前記第１の枢着部材とを組み合わせて形成した多角形は、内側に折り曲げ得ることを特徴とする訓練用運動器材構造。
（２）各前記フレームは、少なくとも１つの組立領域を有することを特徴とする前記（１）に記載の訓練用運動器材構造。
（３）各前記フレームには、少なくとも１つの第２の枢着部材が配設され、
前記第２の枢着部材は、各前記フレームの各前記組立領域が回動可能に連結される２つの組立領域を有することを特徴とする前記（２）に記載の訓練用運動器材構造。
（４）各前記フレームと各前記第１の枢着部材とで構成された各多角形の間は、第２の枢着部材によりそれぞれ接続されることを特徴とする前記（１）に記載の訓練用運動器材構造。
（５）各前記フレームと各前記第１の枢着部材とで構成された各多角形の間は、前記第２の枢着部材により回動可能に連結され、各前記フレームと各前記第１の枢着部材とで構成された各多角形の間は内側に折り曲げ得ることを特徴とする前記（４）に記載の訓練用運動器材構造。
（６）各前記第２の枢着部材は、弾性材料により一体成形されることを特徴とする前記（５）に記載の訓練用運動器材構造。
（７）各前記フレームは、弾性材料により一体成形されることを特徴とする前記（１）に記載の訓練用運動器材構造。
（８）各前記第１の枢着部材は、弾性材料により一体成形されることを特徴とする前記（１）に記載の訓練用運動器材構造。
（９）各前記第１の枢着部材は、各前記フレームの各前記組立領域に回動可能に連結されることを特徴とする前記（２）に記載の訓練用運動器材構造。
（１０）各前記フレームの各前記枢着端を回動可能に連結する２つの組立領域を有し、各前記フレームと組み合わせて格子状に形成する少なくとも１つの第３の枢着部材をさらに備えることを特徴とする前記（１）に記載の訓練用運動器材構造。